(57)【要約】【課題】ノートブック型コンピュータを簡単に開くことができないようにしてコンピュータ内部のデータが外部に漏洩するのを効果的に防ぐこと。【解決手段】挟み込みユニット及び位置決めユニットを含み、前記挟み込みユニットが相互に間隔を備えた第一、第二挟持片、前記第一挟持片から第二挟持片方向に延伸された固定片、及び前記第二挟持片から固定片方向に延伸され、且つ、一部が固定片上に重畳された延伸脚部を備え、前記位置決めユニットが前記固定片に穿入され、且つ、離脱可能に前記延伸脚部上に位置決めされ、前記第一、第二挟持片、固定片、延伸脚部でノートブック型コンピュータを挟み込むための挟持空間が形成される。【選択図】図３
2008041101.tif 000002
【特許請求の範囲】
【請求項１】
ノートブック型コンピュータ用ロックシリンダを備えた挟持装置であって、
前記ノートブック型コンピュータ用ロックシリンダが前記挟持装置上に設置され、且つ、ノートブック型コンピュータ上にロックされるために用いられ、前記挟持装置が前記ノートブック型コンピュータを挟み込むために用いられ、さらに、
相互間に間隔を備えた第一挟持片と第二挟持片、前記第一挟持片から第二挟持片方向に延伸された固定片、及び前記第二挟持片から固定片方向に延伸され、且つ、一部が前記固定片上に重畳される延伸脚部を含み、前記固定片が前記ノートブック型コンピュータ用ロックシリンダを穿置するための取付部を備えた挟み込みユニットと、
前記固定片に穿入され、且つ、離脱可能に前記延伸脚部上に位置決めされる位置決めユニットとを含み、
前記延伸脚部と固定片の重畳を適切な位置に調整した後、前記位置決めユニットが位置決めされ、前記第一、第二挟持片、固定片、延伸脚部に前記ノートブック型コンピュータを挟み込むための挟持空間を定義させることを特徴とする、
ノートブック型コンピュータ用ロックシリンダを備えた挟持装置。
【請求項２】
前記挟み込みユニットの固定片が、少なくとも１つの前記第二挟持片に面する表面から凹陥状に形成された受容部と、少なくとも１つの前記固定片表面から間隔をあけて凹陥状に形成され、且つ、前記受容部内に通じる第一収容部を備え、前記延伸脚部が少なくとも１つの前記第二挟持片から固定片の方向に延伸され、且つ、移動可能に前記受容部内に挿入される延伸柱体を備え、前記位置決めユニットが少なくとも前記第一収容部に穿通され、且つ、離脱可能に前記延伸柱体上に位置決めされる位置決め部材を備え、前記延伸柱体が前記受容部内で適切な位置に調整された後、位置決めされることを特徴とする、請求項１に記載のノートブック型コンピュータ用ロックシリンダを備えた挟持装置。
【請求項３】
前記挟み込みユニットの固定片が２つの相互に間隔をあけて前記第二挟持片二面する表面から凹陥状に形成され、且つ、前記取付部の両側にそれぞれ配置された受容部と、固定片表面に間隔をあけて凹陥状に形成され、且つ、それぞれ前記２つの受容部内に通じる２つの第一収容部を備え、前記延伸脚部が相互に間隔をあけて前記第二挟持片から固定片の方向に延伸され、且つ、それぞれ移動可能に前記２つの受容部内に挿入される２つの延伸柱体を備え、前記位置決めユニットが前記２つの第一収容部にそれぞれ穿入され、且つ、離脱可能に前記２つの延伸柱体上に位置決めされる位置決め部材を備え、前記２つの延伸柱体が前記２つの受容部内で適切な位置に調整された後、位置決めされることを特徴とする、請求項２に記載のノートブック型コンピュータ用ロックシリンダを備えた挟持装置。
【請求項４】
前記延伸脚部の各延伸柱体が軸方向に間隔をあけて配列された複数の位置決め孔を備え、前記２つの延伸柱体が前記２つの受容部内でそれぞれ移動され、且つ、前記２つの位置決め部材が前記２つの第一収容部に穿入されて前記２つの延伸柱体の対応する位置決め孔内に穿入されることにより、前記２つの延伸柱体が前記２つの受容部内で適切な位置に調整された後、位置決めされることを特徴とする、請求項３に記載のノートブック型コンピュータ用ロックシリンダを備えた挟持装置。
【請求項５】
前記挟み込みユニットの固定片がさらに固定片表面から間隔をあけて凹陥状に形成され、且つ、それぞれ前記２つの受容部内に通じる２つの第二収容部を備え、前記位置決めユニットがさらに２つの弾性部材セットを備え、前記２つの弾性部材セットが、対応する前記第二収容部に配置されるスリーブ部材と、前記スリーブ部材内に設置される弾性部材と、前記弾性部材の末端に設置され、且つ、対応する位置決め孔内に穿置される位置決めボールをそれぞれ含むことを特徴とする、請求項４に記載のノートブック型コンピュータ用ロックシリンダを備えた挟持装置。
【請求項６】
前記位置決めユニットの各位置決め部材がネジであり、対応する第一収容部に螺合され、且つ、その末端が対応する位置決め孔内に穿入されて位置決めされることを特徴とする、請求項５に記載のノートブック型コンピュータ用ロックシリンダを備えた挟持装置。
【請求項７】
前記ノートブック型コンピュータ用ロックシリンダが、間隔をあけてその周面上に形成された複数の止まり穴を備え、前記固定片がさらにその表面から凹陥状に形成され、且つ、前記取付部に通じる貫通孔を備え、且つ、前記貫通孔と前記止まり穴のいずれかが相互に対応され、前記挟み込みユニットがさらに前記貫通孔に穿通され、且つ、その末端が対応する前期止まり穴内に穿入される固定部材を備え、前記ノートブック型コンピュータ用ロックシリンダが前記挟持装置の取付部内に位置決めされることを特徴とする、請求項１または２、或いは６のいずれかに記載のノートブック型コンピュータ用ロックシリンダを備えた挟持装置。
【請求項８】
前記挟み込みユニットがさらに、前記固定片の貫通孔内に穿置されるシャフトスリーブを備え、前記シャフトスリーブの両端が開放状を呈し、且つ、内部に雌ネジが形成され、前記固定部材が前記シャフトスリーブの一端から穿入され、且つ、前記シャフトスリーブ内に螺合されて固定され、その末端が前記シャフトスリーブの他端から対応する止まり穴内に穿入されることを特徴とする、請求項７に記載のノートブック型コンピュータ用ロックシリンダを備えた挟持装置。
【請求項９】
前記挟み込みユニットがさらに、前記第一、第二挟持片上にそれぞれ設置され、且つ、相互に対面して設けられた保護パッドを備えていることを特徴とする、請求項８に記載のノートブック型コンピュータ用ロックシリンダを備えた挟持装置。
【請求項１０】
前記ノートブック型コンピュータ用ロックシリンダがさらに、前記止まり穴の付近にそれぞれ対応して配置された複数の突起を備え、前記固定片がさらに前記取付部内に位置し、且つ、前記ノートブック型コンピュータ用ロックシリンダの各突起が対応して嵌入される複数の嵌合部を備えていることを特徴とする、請求項９に記載のノートブック型コンピュータ用ロックシリンダを備えた挟持装置。
【請求項１１】
前記挟み込みユニットの第一、第二挟持片、固定片、延伸脚部の四者がそれぞれ金属芯材と、前記金属芯材を覆う硬質保護カバーを備えていることを特徴とする、請求項１０に記載のノートブック型コンピュータ用ロックシリンダを備えた挟持装置。
【発明の詳細な説明】
【技術分野】
【０００１】
本発明は挟持装置に関し、特にノートブック型コンピュータのロック機構上に取り付ける、ノートブック型コンピュータ用ロックシリンダを備えた挟持装置に関するものである。
【背景技術】
【０００２】
マルチメディア情報を大量に保存できる保存設備やワイヤレスネットワークの迅速な発展に伴い、ノートブック型コンピュータまたはデスクトップ型コンピュータの成長は極めて迅速になっている。
ノートブック型コンピュータは携帯に便利であり、この携帯性が高いという利点は、ノートブック型コンピュータを窃盗のターゲットとなりやすくしている。
【０００３】
ノートブック型コンピュータが盗難に遭いやすいという欠点を回避するため、通常ノートブック型コンピュータ上にセキュリティケーブルを設置し、このセキュリティケーブルの一端を固定設備(一般的なものでは机の脚など)上に掛け回して固定し、他端をノートブック型コンピュータのロック機構上に固定する。
【０００４】
例えば、台湾特許第Ｍ２８４９２５号「ノートブック型コンピュータのロック機構（一）」、実用新案及び台湾特許公告第４２２２６６号「ノートブック型コンピュータの盗難防止ロックの改良」の公報には、ノートブック型コンピュータ上に使用するロック機構が開示されている。
このロック機構は、セキュリティケーブルを組み合わせ、ノートブック型コンピュータと固定設備を固定して、ノートブック型コンピュータが盗難に遭うリスクを低減することができるものである。
【０００５】
しかしながら、上述の設計では、ノートブック型コンピュータが盗難に遭いにくくすることはできるものの、他人がノートブック型コンピュータを開き、コンピュータ内部に侵入してデータを盗み取ることが容易である。
そのため、ノートブック型コンピュータを開きにくくしてデータが外部に漏洩することを如何なる手段で防ぐかといった、ロック機構と組み合わせた新たな挟持装置の提案が望まれている。
【発明の開示】
【発明が解決しようとする課題】
【０００６】
本発明の目的は、ノートブック型コンピュータを簡単に開くことができないようにしてコンピュータ内部のデータが外部に漏洩するのを効果的に防ぐことができる、ノートブック型コンピュータ用ロックシリンダを備えた挟持装置を提供することにある。
【課題を解決するための手段】
【０００７】
本発明のノートブック型コンピュータ用ロックシリンダを備えた挟持装置は、前記ノートブック型コンピュータ用ロックシリンダが前記挟持装置上に設置され、且つ、ノートブック型コンピュータ上にロックするために用いられ、前記挟持装置が前記ノートブック型コンピュータを挟み込むために用いられ、前記挟持装置が、挟み込みユニットと、位置決めユニットを含んで成る。
前記挟み込みユニットは、相互間に間隔を備えた第一挟持片と第二挟持片、前記第一挟持片から第二挟持片方向に延伸された固定片、及び前記第二挟持片から固定片の方向に延伸され、且つ一部が固定片上に重畳される延伸脚部を含み、前記固定片に前記ノートブック型コンピュータ用ロックシリンダを穿置するための取付部が設けられると共に、前記位置決めユニットは前記固定片に穿入され、且つ、前記延伸脚部上に離脱可能に位置決めされ、前記延伸脚部と固定片の重畳を適切な位置に調整した後に前記位置決めユニットが位置決めされる。
【０００８】
すなわち、本願の第１発明は、ノートブック型コンピュータ用ロックシリンダを備えた挟持装置であって、前記ノートブック型コンピュータ用ロックシリンダが前記挟持装置上に設置され、且つ、ノートブック型コンピュータ上にロックされるために用いられ、前記挟持装置が前記ノートブック型コンピュータを挟み込むために用いられ、さらに前記挟持装置が、相互間に間隔を備えた第一挟持片と第二挟持片、前記第一挟持片から第二挟持片方向に延伸された固定片、及び前記第二挟持片から固定片方向に延伸され、一部が前記固定片上に重畳される延伸脚部を含み、且つ、そのうち前記固定片が前記ノートブック型コンピュータ用ロックシリンダを穿置するための取付部を備えた挟み込みユニットと、前記固定片に穿入され、且つ、離脱可能に前記延伸脚部上に位置決めされる位置決めユニットを含み、前記延伸脚部と固定片の重畳を適切な位置に調整した後、前記位置決めユニットが位置決めされ、前記第一、第二挟持片、固定片、延伸脚部に前記ノートブック型コンピュータを挟み込むための挟持空間を定義させるように構成したことを特徴とする、ノートブック型コンピュータ用ロックシリンダを備えた挟持装置を提供する。
【０００９】
本願の第２発明は、前記挟み込みユニットの固定片が、少なくとも１つの前記第二挟持片に面する表面から凹陥状に形成された受容部と、少なくとも１つの前記固定片表面から間隔をあけて凹陥状に形成され、且つ、前記受容部内に通じる第一収容部を備え、前記延伸脚部が少なくとも１つの前記第二挟持片から固定片の方向に延伸され、且つ、移動可能に前記受容部内に挿入される延伸柱体を備え、前記位置決めユニットが少なくとも前記第一収容部に穿通され、且つ、離脱可能に前記延伸柱体上に位置決めされる位置決め部材を備え、前記延伸柱体が前記受容部内で適切な位置に調整された後、位置決めされることを特徴とする、前記第１発明のノートブック型コンピュータ用ロックシリンダを備えた挟持装置を提供する。
【００１０】
本願の第３発明は、前記挟み込みユニットの固定片が２つの相互に間隔をあけて前記第二挟持片二面する表面から凹陥状に形成され、且つ、前記取付部の両側にそれぞれ配置された受容部と、固定片表面に間隔をあけて凹陥状に形成され、且つ、それぞれ前記２つの受容部内に通じる２つの第一収容部を備え、前記延伸脚部が相互に間隔をあけて前記第二挟持片から固定片の方向に延伸され、且つ、それぞれ移動可能に前記２つの受容部内に挿入される２つの延伸柱体を備え、前記位置決めユニットが前記２つの第一収容部にそれぞれ穿入され、且つ、離脱可能に前記２つの延伸柱体上に位置決めされる位置決め部材を備え、前記２つの延伸柱体が前記２つの受容部内で適切な位置に調整された後、位置決めされることを特徴とする、前記第２発明のノートブック型コンピュータ用ロックシリンダを備えた挟持装置を提供する。
【００１１】
本願の第４発明は、前記延伸脚部の各延伸柱体が軸方向に間隔をあけて配列された複数の位置決め孔を備え、前記２つの延伸柱体が前記２つの受容部内でそれぞれ移動され、且つ、前記２つの位置決め部材が前記２つの第一収容部に穿入されて前記２つの延伸柱体の対応する位置決め孔内に穿入されることにより、前記２つの延伸柱体が前記２つの受容部内で適切な位置に調整された後、位置決めされることを特徴とする、前記第３発明のノートブック型コンピュータ用ロックシリンダを備えた挟持装置を提供する。
【００１２】
本願の第５発明は、前記挟み込みユニットの固定片がさらに固定片表面から間隔をあけて凹陥状に形成され、且つ、それぞれ前記２つの受容部内に通じる２つの第二収容部を備え、前記位置決めユニットがさらに２つの弾性部材セットを備え、前記２つの弾性部材セットが、対応する前記第二収容部に配置されるスリーブ部材と、前記スリーブ部材内に設置される弾性部材と、前記弾性部材の末端に設置され、且つ、対応する位置決め孔内に穿置される位置決めボールをそれぞれ含むことを特徴とする、前記第４発明のノートブック型コンピュータ用ロックシリンダを備えた挟持装置を提供する。
【００１３】
本願の第６発明は、前記位置決めユニットの各位置決め部材がネジであり、対応する第一収容部に螺合され、且つ、その末端が対応する位置決め孔内に穿入されて位置決めされることを特徴とする、前記第５発明のノートブック型コンピュータ用ロックシリンダを備えた挟持装置を提供する。
【００１４】
本願の第７発明は、前記ノートブック型コンピュータ用ロックシリンダが、間隔をあけてその周面上に形成された複数の止まり穴を備え、前記固定片がさらにその表面から凹陥状に形成され、且つ、前記取付部に通じる貫通孔を備え、且つ、前記貫通孔と前記止まり穴のいずれかが相互に対応され、前記挟み込みユニットがさらに前記貫通孔に穿通され、且つ、その末端が対応する前期止まり穴内に穿入される固定部材を備え、前記ノートブック型コンピュータ用ロックシリンダが前記挟持装置の取付部内に位置決めされることを特徴とする、前記第１または第２、或いは第６発明のいずれかのノートブック型コンピュータ用ロックシリンダを備えた挟持装置を提供する。
【００１５】
本願の第８発明は、前記挟み込みユニットがさらに、前記固定片の貫通孔内に穿置されるシャフトスリーブを備え、前記シャフトスリーブの両端が開放状を呈し、且つ、内部に雌ネジが形成され、前記固定部材が前記シャフトスリーブの一端から穿入され、且つ、前記シャフトスリーブ内に螺合されて固定され、その末端が前記シャフトスリーブの他端から対応する止まり穴内に穿入されることを特徴とする、前記第７発明のノートブック型コンピュータ用ロックシリンダを備えた挟持装置を提供する。
【００１６】
本願の第９発明は、前記挟み込みユニットがさらに、前記第一、第二挟持片上にそれぞれ設置され、且つ、相互に対面して設けられた保護パッドを備えていることを特徴とする、前記第８発明のノートブック型コンピュータ用ロックシリンダを備えた挟持装置を提供する。
【００１７】
本願の第１０発明は、前記ノートブック型コンピュータ用ロックシリンダがさらに、前記止まり穴の付近にそれぞれ対応して配置された複数の突起を備え、前記固定片がさらに前記取付部内に位置し、且つ、前記ノートブック型コンピュータ用ロックシリンダの各突起が対応して嵌入される複数の嵌合部を備えていることを特徴とする、前記第９発明のノートブック型コンピュータ用ロックシリンダを備えた挟持装置を提供する。
【００１８】
本願の第１１発明は、前記挟み込みユニットの第一、第二挟持片、固定片、延伸脚部の四者がそれぞれ金属芯材と、前記金属芯材を覆う硬質保護カバーを備えていることを特徴とする、前記第１０発明のノートブック型コンピュータ用ロックシリンダを備えた挟持装置を提供する。
【発明の効果】
【００１９】
本発明の効果は、異なる型式のノートブック型コンピュータにより、その高さにはそれぞれ違いがあるため、延伸脚部の位置を調整し、第一挟持片、第二挟持片間に適切な距離を形成すると、第一挟持片、第二挟持片、固定片、延伸脚部で前記ノートブック型コンピュータを間に挟持するための挟持空間を定義することができ、前記ノートブック型コンピュータは簡単に開くことができなくなり、コンピュータ内部のデータが外部に漏洩しないよう効果的に保護することができる。
さらに、窃盗を図ろうとしても前記ノートブック型コンピュータ用ロックシリンダを容易に破壊することができないため、ノートブック型コンピュータが盗難に遭うリスクを低減することができる。
【発明を実施するための最良の形態】
【００２０】
本発明の前述及びその他技術内容、特徴、効果についてはっきりと示すため、以下、図面と最良の実施例に基づき詳細に説明する。
【００２１】
図１に本発明のノートブック型コンピュータ用ロックシリンダ１の挟持装置２の最良の実施例を示す。
ノートブック型コンピュータ用ロックシリンダ１は挟持装置２上に取り付けられる。
前記挟持装置２は前記ノートブック型コンピュータ５を挟み込むために用いられ、且つ、挟み込みユニット３と位置決めユニット４を含んで成る。
【００２２】
図２、図３に示すように、前記ノートブック型コンピュータ用ロックシリンダ１は４つの等角度間隔にその周面上に形成された止まり穴１１(図２には視角の関係でそのうち２つだけを示す)、ノートブック型コンピュータ５のロックスロット５１上に挿入しロックするために用いられるロック端１２、及び前記四４つの止まり穴１１の付近にそれぞれ配置された４つの突起１３(図２には視角の関係でそのうち２つだけを示す)を備えている。
【００２３】
前記挟持装置２の挟み込みユニット３は、相互間に間隔を備えた第一挟持片３１と第二挟持片３２、前記第一挟持片３１から第二挟持片３２方向に延伸された固定片３３、前記第二挟持片３２から固定片３３方向に延伸された延伸脚部３４、前記第一、第二挟持片３１、３２上にそれぞれ相互に対面して設置された２つの保護パッド３５、固定部材３６、シャフトスリーブ３７を備える。
そのうち、前記第一、第二挟持片３１、３２、固定片３３、延伸脚部３４の四者はそれぞれ金属芯材３８１〜３８４及び前記金属芯材３８１〜３８４を包み込む硬質保護カバー３９１〜３９４を備える。
前記硬質保護カバー３９１〜３９４は一般にプラスチック材質から成り、金属芯材３８１〜３８４が直接前記ノートブック型コンピュータ５の表面に接触して摩損破壊を発生するのを回避することができる。
前記２つの保護パッド３５はスポンジから成り、同様に前記ノートブック型コンピュータ５の表面に摩損破壊を発生するのを回避することができる。
【００２４】
本実施例において、前記第一、第二挟持片３１、３２、固定片３３、延伸脚部３４の四者がそれぞれ金属芯材３８１〜３８４と硬質保護カバー３９１〜３９４を備えていると記載したが、当然金属芯材３８１〜３８４のみから構成し、硬質保護カバー３９１〜３９４で覆わなくともよく、このため、本実施例の説明のみに限られないものとする。
【００２５】
前記固定片３３は、前記ノートブック型コンピュータ用ロックシリンダ１を穿置するための取付部３３１、相互間に間隔をあけて前記第二挟持片３２に面した固定片３３の表面から凹陥状に形成される。
前記取付部３３１の両側にはそれぞれ配置された２つの受容部３３２、前記固定片３３表面から凹陥状に形成される。
前記取付部３３１に通じる貫通孔３３５(図４参照)、固定片３３の表面から間隔をあけて凹陥状に形成され、且つ、前記２つの受容部３３２内にそれぞれ通じる２つの第一収容部３３３と２つの第二収容部３３４、及びこれら四つの収容部が前記取付部３３１内に位置する。
固定片３３は前記ノートブック型コンピュータ用ロックシリンダ１の４つの突起１３が対応して嵌入される嵌合部３３６(図４参照)を備えている。
【００２６】
前記延伸脚部３４は、相互間に間隔をあけて前記第二挟持片３２から前記固定片３３の方向に延伸される。
前記延伸脚部３４は、前記２つの受容部３３２内に移動可能に挿入される２つの延伸柱体３４１を備え、前記第一、第二挟持片３１、３２の間の距離を変えて調整するために用いられ、各延伸柱体３４１は軸方向に間隔をあけて配列された複数の位置決め孔３４２を備えている。
【００２７】
前記位置決めユニット４は、前記２つの第一収容部３３３に穿通され、且つ、前記２つの延伸柱体３４１の対応する位置決め孔３４２内に挿入されて位置決めされる２つの位置決め部材４１、及び２つの弾性部材セット４２を備える。
各位置決め部材４１はネジとし、対応する第一収容部３３３に螺合され、且つ、その末端が対応する位置決め孔３４２内に挿入されて位置決めされる。
前記２つの弾性部材セット４２は、対応する第二収容部３３４に挿入されるスリーブ部材４２１、前記スリーブ部材４２１内に設置される弾性部材４２２、及び前記弾性部材４２２の末端に設置され、且つ、対応する位置決め孔３４２内に挿入される位置決めボール４２３をそれぞれ備えている。
【００２８】
本実施例において、２つの延伸柱体３４１と２つの受容部３３２を設けた形態を示すが、当然、１つの延伸柱体３４１と１つの受容部３３２のみを設置し、同様に前記延伸柱体３４１を移動可能に前記受容部３３２内に挿入できるようにしてもよいし、また上述の設計に合わせて、第一収容部３３３と第二収容部３３４、位置決め部材４１と弾性部材セット４２も１つのみ設置し、前記延伸柱体３４１を前記受容部３３２内で適切な位置に調整した後、位置決めすることができるように構成しても、前記第一、第二挟持片３１、３２間の距離を調整することができる。
したがって、第一、第二挟持片３１、３２間の距離の調整手段は本実施例の記載に限定されるものではない。
【００２９】
図２及び図４に示すように、前記ノートブック型コンピュータ用ロックシリンダ１の４つの突起１３は、前記固定片３３の４つの嵌合部３３６内にのみ嵌入させることができるため、これにより一種のポカよけ設計が形成され、前記ノートブック型コンピュータ用ロックシリンダ１が正確に前記取付部３３１内に設置されるよう確保することができる。
このとき、前記固定片３３の貫通孔３３５が前記ノートブック型コンピュータ用ロックシリンダ１のうちいずれか１つの止まり穴１１と相互に対応し、前記挟み込みユニット３のシャフトスリーブ３７が前記貫通孔３３５内に穿置され、前記シャフトスリーブ３７はその両端が開放状を呈し、且つ、内部に雌ネジが形成されており、前記固定部材３６の周面に対応する雄ネジが形成されているため、前記固定部材３６を前記シャフトスリーブ３７の一端に穿入させ、且つ、前記シャフトスリーブ３７内に螺合して固定し、その末端を前記シャフトスリーブ３７の他端から穿出させて対応する止まり穴１１内に穿入させ、前記ノートブック型コンピュータ用ロックシリンダ１を前記取付部３３１内に位置決めすることができる。
【００３０】
図１に示すように、本実施例において、前記ノートブック型コンピュータ５のロックスロット５１は垂直状を呈し、前記ノートブック型コンピュータ用ロックシリンダ１のロック端１２もこれに合わせて垂直状を呈しているが、当然に、前記ロックスロット５１は水平状の様態のものもあり得る。
【００３１】
この場合は、図２及び図５に示すように、前記固定部材３６を緩め、前記ノートブック型コンピュータ用ロックシリンダ１の止まり穴１１内に穿入されないようにし、その後前記ノートブック型コンピュータ用ロックシリンダ１を９０度回転させて、前記固定部材３６を再度前記シャフトスリーブ３７内に螺合して固定し、前記固定部材３６の末端を別の止まり穴１１内に穿入させるだけで、前記ノートブック型コンピュータ用ロックシリンダ１のロック端１２を水平状にし、水平状のロックスロット５１上に組み合わせてロックすることができて、使用する上で非常に便利である。
【００３２】
図３に示すように、異なる型式のノートブック型コンピュータ５はその高さにそれぞれ違いがある。
そのため、本発明に係る挟持装置２は、ノートブック型コンピュータ５の高さに合わせて前記第一、第二挟持片３１、３２間の距離を調整することができる。
その調整方法は、まず前記２つの位置決め部材４１を緩めて対応する位置決め孔３４２から離脱させると、前記２つの延伸柱体３４１を自由に前記２つの受容部３３２内で縦方向に移動させることができる。
各弾性部材セット４２の位置決めボール４２３もその弾性部材４２２の弾力伸張作用により、前記２つの延伸柱体３４１の縦方向の移動過程において逐一各位置決め孔３４２内に嵌入する動作を行い、これにより使用者に前記２つの延伸柱体３４１が現在前記２つの位置決め部材４１を締め付けて固定することができる状態にあるか否かを判断させ、且つ、前記２つの延伸柱体３４１を安定した状態で円滑に縦方向に移動させて、変位や傾斜を発生しないようにすることができる。
【００３３】
前記第一、第二挟持片３１、３２が適切な間隔を形成するまで前記２つの延伸柱体３４１を前記２つの受容部３３２内で縦方向に移動させる。
前記２つの弾性部材セット４２の位置決めボール４２３も前記２つの延伸柱体３４１の対応する位置決め孔３４２内に嵌入させると、前記第一、第二挟持片３１、３２、固定片３３、２つの延伸柱体３４１により前記ノートブック型コンピュータ５を挟み込むための挟持空間３０が形成される。
このとき、前記２つの位置決め部材４１を締め付けて固定し、且つ、その末端を前記２つの延伸柱体３４１の対応する位置決め孔３４２内に穿入させて位置決めすると、前記ノートブック型コンピュータ５を前記挟持空間３０内に挟み込むことができ、且つ、前記ノートブック型コンピュータ用ロックシリンダ１のロック端１２を前記ノートブック型コンピュータ５のロックスロット５１上にロックすれば、前記ノートブック型コンピュータ５が盗難に遭うリスクを低減できるだけでなく、前記ノートブック型コンピュータ５を簡単に開くことができないようにし、コンピュータ内部のデータが外部に漏洩するのを効果的に防ぐことができる。
【００３４】
前記２つの保護パッド３５は緊密に前記ノートブック型コンピュータ５表面に密着され、前記ノートブック型コンピュータ５が前記挟持空間３０に挟みこまれるとき、前記２つの保護パッド３５はスポンジから成るため、往々にして過度に緊密に密着されるために外形に一定程度の変形が生じる。
前記挟持装置２と前記ノートブック型コンピュータ５が離脱した状態が形成されると、同じ高さの挟持空間３０内に再度前記ノートブック型コンピュータ５を挟み込みたい場合、前記ノートブック型コンピュータ５を前記挟持空間３０に入れる経路で前記２つの保護パッド３５が邪魔になる確率が非常に高い。そのため、本発明は前記２つの保護パッド３５の外側に面した箇所に傾斜状の導引面３５１を形成し、前記ノートブック型コンピュータ５を前記２つの導引面３５１に沿って円滑に前記挟持空間３０内に入れることができるようにして、上述の邪魔になることがないようにした。
【００３５】
上述の設計方式により、本実施例には以下のような利点がある。
(１)前記ノートブック型コンピュータ５を簡単に開くことができない。
すなわち、異なる型式のノートブック型コンピュータ５はその高さがそれぞれ異なり、前記第一、第二挟持片３１、３２は前記２つの延伸柱体３４１を前記２つの受容部３３２内で縦方向に適切な位置まで移動させた後位置決めし、前記ノートブック型コンピュータ５を前記挟持空間３０内に挟み込むことで、前記ノートブック型コンピュータ５を簡単に開くことができなくなり、コンピュータ内部のデータが外部に漏洩されるのを効果的に防ぐことができる。
(２)前記ノートブック型コンピュータ用ロックシリンダ１は破壊されにくい。
すなわち、前記ノートブック型コンピュータ用ロックシリンダ１のロック端１２が前記ノートブック型コンピュータ５のロックスロット５１上にロックされるとき、前記ロック端１２が同時に前記第一、第二挟持片３１、３２により遮蔽されるため、窃盗を図る者は前記ロック端１２を破壊しにくく、前記ノートブック型コンピュータ用ロックシリンダ１の保護作用が失われにくいため、ノートブック型コンピュータ５の盗難のリスクをさらに低減することができる。
(３)前記挟持装置２の高さ調整時の安定性が高く、傾斜を発生しにくい。
すなわち、前記挟持装置２の高さを調整するとき、各弾性部材セット４２の位置決めボール４２３が弾性部材４２２の弾力伸張作用により、前記２つの延伸柱体３４１の縦方向の移動過程において逐一各位置決め孔３４２内に嵌入する動作を行なうため、これにより前記２つの延伸柱体３４１が高さの調整時に昇降が不均一になる現象が起こらず、同時に昇降させることができ、安定した操作が得られ、傾斜を発生しにくい。
(４)前記ノートブック型コンピュータ５の表面を摩損しにくい。
すなわち、前記第一、第二挟持片３１、３２、固定片３３、延伸脚部３４の四者はすべて硬質保護カバー３９１〜３９４で保護が加えられ、内部の金属芯材３８１〜３８４が前記ノートブック型コンピュータ５表面に直接接触しないようにされているため、前記ノートブック型コンピュータ５表面が金属材質により摩損されにくい。
(５)垂直または水平状のロックスロット５１に適用することができる。
すなわち、前記固定部材３６が離脱可能に前記ノートブック型コンピュータ用ロックシリンダ１の止まり穴１１内に固定され、且つ、止まり穴１１の数が４つあり、それぞれ９０度の間隔をあけて前記ノートブック型コンピュータ用ロックシリンダ１上に配置されるため、ノートブック型コンピュータ５のロックスロット５１が垂直または水平のいずれの状態を呈していても、前記ノートブック型コンピュータ用ロックシリンダ１を前記挟持装置２内で９０度ずつ回転させ、前記ロック端１２とロックスロット５１が同じ方向になったとき、前記固定部材３６を前記ノートブック型コンピュータ用ロックシリンダ１の止まり穴１１内に穿入させて固定することができ、この方法により、ロックスロット５１が垂直または水平のいずれの状態を呈していても、本挟持装置２とノートブック型コンピュータ用ロックシリンダ１を組み合わせて適用することができる。
(６)前記ノートブック型コンピュータ用ロックシリンダ１と挟持装置２に相互に組み込むときのポカよけ設計が施されている。
すなわち、前記ノートブック型コンピュータ用ロックシリンダ１と挟持装置２を相互に結合させるとき、前記ノートブック型コンピュータ用ロックシリンダ１の４つの突起１３が前記固定片３３の４つの嵌合部３３６内に対応されたときのみ嵌合されるため、これにより一種のポカよけ設計が形成され、前記ノートブック型コンピュータ用ロックシリンダ１を正確に前記取付部３３１内に設置されるよう確保することができ、その後前記固定部材３６を止まり穴１１内に螺合して固定し、前記ノートブック型コンピュータ用ロックシリンダ１と挟持装置２が相互に結合される。
【００３６】
以上のように本発明のノートブック型コンピュータ用ロックシリンダ１を備えた挟持装置２は、異なる高さのノートブック型コンピュータ５に合わせて前記挟持装置２の高さを調整し、前記ノートブック型コンピュータ５を前記挟持空間３０内に挟み込み、前記ノートブック型コンピュータ５が簡単に開かないようにすることができ、コンピュータ内部のデータが外部に漏洩されるのを効果的に防止することができる。さらに、窃盗を図る者が前記ノートブック型コンピュータ用ロックシリンダ１のロック端１２を破壊しにくく、さらにノートブック型コンピュータ５の盗難のリスクを低減することができる。このほか、前記挟持装置２は高さを調整するときの安定性が高いため傾斜を生じにくく、また前記ノートブック型コンピュータ５の表面を摩損しにくいため、本発明の目的を確実に達することができる。
【００３７】
以上の説明は本発明の最良の実施例に基づくものであり、これにより本発明の実施の範囲が制限されることはなく、本発明の特許請求の範囲及び明細書の内容に基づき行なわれた簡単な同等効果の変化や修飾はすべて本発明の特許の範囲内に含まれるものとする。
【図面の簡単な説明】
【００３８】
【図１】本発明のノートブック型コンピュータ用ロックシリンダを備えた挟持装置の最良の実施例をノートブック型コンピュータ上に取り付けた状態を示す立体分解図である。
【図２】前記最良の実施例の各部構成部材の相対位置関係を示す立体分解図である。
【図３】図２の最良の実施例の組み立て後の状態を示す側面断面図である。
【図４】図２の最良の実施例においてノートブック型コンピュータのロックスロットが垂直状を呈する場合の組み立て後の状態を示す正面断面図である。
【図５】図４のノートブック型コンピュータのロックスロットが水平状を呈する場合の正面断面図である。
【符号の説明】
【００３９】
１・・・・・・ノートブック型コンピュータ用ロックシリンダ
１１・・・・・ネジ孔
１２・・・・・ロック端
１３・・・・・突起
２・・・・・・挟持装置
３・・・・・・挟み込みユニット
３０・・・・・挟持空間
３１・・・・・第一挟持片
３２・・・・・第二挟持片
３３・・・・・固定片
３３１・・・・取付部
３３２・・・・受容部
３３３・・・・第一収容部
３３４・・・・第二収容部
３３５・・・・貫通孔
３３６・・・・嵌合部
３４・・・・・延伸脚部
３４１・・・・延伸柱体
３４２・・・・位置決め孔
３５・・・・・保護パッド
３５１・・・・導引面
３６・・・・・固定部材
３７・・・・・シャフトスリーブ
３８１〜３８４・・・・・金属芯材
３９１〜３９４・・・・・硬質保護カバー
４・・・・・・位置決めユニット
４１・・・・・位置決め部材
４２・・・・・弾性部材セット
４２１・・・・スリーブ部材
４２２・・・・弾性部材
４２３・・・・位置決めボール
５・・・・・・ノートブック型コンピュータ
５１・・・・・ロックスロット
５２・・・・・止まり穴
【図１】
2008041101.tif 000003
【図２】
2008041101.tif 000004
【図３】
2008041101.tif 000005
【図４】
2008041101.tif 000006
【図５】
2008041101.tif 000007